(57)【要約】【課題】変流器を用いて電流計測を行う電流計測部と、前記変流器から得られる電力にて前記電流計測部を駆動する電源回路とを備えた電流計測装置において、変流器に生じる過電圧から前記電源回路を保護する。【解決手段】変流器を用いて電流を計測する電流計測部と、前記変流器に生起された電力を整流・平滑して電気二重層コンデンサを充電し、該電気二重層コンデンサの充電電圧により前記電流計測部を駆動する電源回路と、前記変流器から得られる電力を前記電流計測部または前記電源回路に選択的に供給する入力切替回路と、前記電気二重層コンデンサが満充電状態で、且つ前記整流・平滑化した電力の電圧が所定値を超えるとき、前記入力切替回路の出力を前記電流計測部側に切り替える過電圧検出回路とを備える。【選択図】      図１
2015040799.tif 000002
【特許請求の範囲】
【請求項１】
電源ラインに装着された変流器に生起された電力を整流・平滑化した電力の電圧にて蓄電素子を充電し、該蓄電素子の充電電圧を内部電源電圧として出力する電源回路と、
前記蓄電素子が満充電状態で、且つ前記整流・平滑化した電力の電圧が所定値を超えるとき、前記変流器に生起された電力の前記電源回路への給電を停止させる過電圧検出回路と
を具備したことを特徴とする電源回路装置。
【請求項２】
前記過電圧検出回路は、前記変流器と前記電源回路との間に介装された入力切替回路を駆動して前記変流器に生起された電力を前記電源回路以外の回路部に出力させるものである請求項１に記載の電源回路装置。
【請求項３】
計測対象とする電源ラインに装着された変流器を介して検出される電流値から前記電源ラインに流れる電流を計測する電流計測部と、
前記変流器に生起された電力を整流・平滑化した電力の電圧にて蓄電素子を充電し、該蓄電素子の充電電圧により前記電流計測部を駆動する電源回路と、
前記変流器から得られる電力を前記電流計測部または前記電源回路に選択的に出力する入力切替回路と、
前記蓄電素子が満充電状態で、且つ前記整流・平滑化した電力の電圧が所定値を超えるとき、前記入力切替回路の出力を前記電流計測部側に切り替える過電圧検出回路と
を具備したことを特徴とする電流計測装置。
【請求項４】
前記過電圧検出回路は、前記整流・平滑化した電力の電圧値が前記蓄電素子の満充電電圧の値を超過すると過電圧検出信号を出力し、
前記入力切替回路は、前記過電圧検出信号を受けて前記変流器から得られる電力を前記電流計測部側に出力することを特徴とする請求項３に記載の電流計測装置。
【請求項５】
前記電流計測部は、前記変流器の出力に前記入力切替回路を介して接続される電流検出素子を用いて前記変流器に流れる電流を電圧変換し、該電圧から前記変流器に流れる電流を検出することを特徴とする請求項３に記載の電流計測装置。
【請求項６】
前記入力切替回路は、前記過電圧検出信号の入力時に導通駆動されて前記変流器の出力を前記電流計測部の電流検出素子に接続する接続素子を備え、該接続素子を介して前記変流器の出力に接続された前記電流検出素子による該変流器の出力電圧の低下を利用して前記電源回路への電力供給を停止することを特徴とする請求項３に記載の電流計測装置。
【請求項７】
請求項３に記載の電流計測装置において、
更に前記過電圧検出回路が出力する前記過電圧検出信号を入力して前記蓄電素子が満充電状態であることを提示する表示回路を備えることを特徴とする電流計測装置。
【請求項８】
計測対象とする複数の設備の各電源ラインにそれぞれ流れる電流をそれぞれ計測する請求項３〜７のいずれかに記載の複数台の電流計測装置と、
これらの各電流計測装置による計測値を周期的に収集するデータ収集装置と、
このデータ収集装置にて収集された前記各電流計測装置による計測値を分析し、該分析結果を出力する監視装置と
を具備したことを特徴とする電力監視システム。
【請求項９】
前記電流計測装置は、前記計測対象とする設備の電源ラインに流れる電流の計測値を前記データ収集装置に周期的に送信する送信機を備えたものであって、
前記データ収集装置は、前記複数台の電流計測装置からそれぞれ送信された計測値を前記各電流計測装置に対応付けて記憶して前記監視装置による分析に供するものである請求項８に記載の電力監視システム。
【請求項１０】
前記電流計測装置は、前記電流計測部による計測値と共に、前記過電圧検出回路により検出された前記過電圧検出信号を前記データ収集装置に送信するものである請求項８に記載の電力監視システム。
【請求項１１】
電源ラインに装着された変流器に生起された電力を整流・平滑化して出力する整流回路と、この整流回路の出力電圧を入力して所定電圧を出力する安定化電源と、この安定化電源が出力する所定電圧により充電され、その充電電圧を所定の電子機器に給電して該電子機器を駆動する蓄電素子と、前記安定化電源に入力される電圧の最大値を規定する定電圧素子とを具備した電源回路装置の保護方法において、
前記蓄電素子が満充電状態であり、且つ前記整流回路の出力電圧が前記定電圧素子により規定される電圧値よりも高い値に達しているとき、前記変流器に生起された電力を前記電源回路以外の回路部に出力して該整流回路への電力供給を停止させることを特徴とする電源回路装置の保護方法。
【発明の詳細な説明】
【技術分野】
【０００１】
本発明は、電源ラインに流れる電流を計測する電流計測装置、該電流計測装置における電源回路装置、該電流計測装置を用いて構築される電力監視システム、並びに前記電源回路装置の保護方法に関する。
【背景技術】
【０００２】
図８は、変流器（カレントトランス）ＣＴを用いて電源ラインＬに流れる電流を計測する電流計測装置１の概略構成例を示している。この電流計測装置１は、概略的には入力切替回路２を介して前記変流器ＣＴの出力端子に択一的に接続される電流計測部１０と電源回路２０とを備える。前記電流計測部１０は、前記変流器ＣＴの出力端子間に介装されて該変流器ＣＴの出力電流を電圧に変換する電流・電圧変換器１１、具体的には計測用抵抗を電流検出素子として備える。更に前記電流計測部１０は、前記電流・電圧変換器（計測用抵抗）１１を介して求められる出力電圧を増幅する増幅器１２と、この増幅器１２の出力電圧から前記電源ラインＬに流れる電流を計測するマイクロプロセッサユニット（マイコン；ＭＰＵ）１３とを備える。そして前記電流計測部１０は、前記ＭＰＵ１３にて求めた前記電流の計測値を、例えば送信機１４から所定の周期でアンテナ１５を介して図示しない上位機器に無線送信するように構成される。
【０００３】
一方、前記電源回路２０は、前記変流器ＣＴから得られる電力を整流・平滑化する整流回路２１と、この整流回路２１の出力電圧を一定化する安定化電源２２とを備える。そして前記電源回路２０は、前記安定化電源２２の出力電圧により蓄電素子である電気二重層コンデンサ２３を充電し、該電気二重層コンデンサ２３の充電電圧を前記電流計測部１０を駆動する内部電源電圧として出力するように構成される。
【０００４】
具体的には前記電源回路２０における前記整流回路２１は、例えば図９に示すように前記変流器ＣＴから得られる交流電力を整流するダイオード・ブリッジ回路２１ａ、このダイオード・ブリッジ回路２１ａの整流出力を平滑化する平滑コンデンサ２１ｂを備える。そしてこの平滑コンデンサ２１ｂを介して平滑化された直流電圧を、例えば電源レギュレータＩＣからなる前記安定化電源２２に与えて一定の安定化直流電圧を得る。そして、この安定化直流電圧にて前記電気二重層コンデンサ２３を充電するように構成される。
【０００５】
ここで前記電気二重層コンデンサ２３が充電されてその充電電圧が上昇し、該電気二重層コンデンサ２３が満充電状態になると、これに伴って前記安定化電源（電源レギュレータＩＣ）２２から前記電気二重層コンデンサ２３への充電電流が流れ難くなる。すると前記変流器ＣＴから供給される電力を整流する前記ダイオード・ブリッジ回路２１ａの出力電圧が高くなり、該ダイオード・ブリッジ回路２１ａおよび前記安定化電源２２の定格電圧を超える事態が発生する。前記安定化電源２２の入力部に設けた定電圧ダイオード２４は、前記ダイオード・ブリッジ回路２１ａを介して前記安定化電源２２に加えられる前記直流電圧の最大値を規定することで、前記変流器ＣＴの出力端子間に生じる過電圧から前記ダイオード・ブリッジ回路２１ａおよび前記安定化電源２２を保護する役割を担う。
【０００６】
このように構成された電流計測装置１によれば、電流計測を目的として前記電源ラインＬに装着した前記変流器ＣＴから得られる電力を利用して前記電流計測部１０の駆動に必要な電力を生成し、この電力を自己給電して電流計測を実行することができる。
【０００７】
尚、上述した電流計測装置１とは異なるが、自己給電により動作して計測データを収集する装置については、例えば特許文献１に紹介される。ちなみにこの特許文献１に紹介される計測装置は、太陽光パネル等の自然エネルギーを利用した発電システムを用いて発電した電力をバッテリ等の蓄電手段に蓄積し、この蓄電手段に蓄積した電力を用いて動作することで外部からの電源供給を不要としたものである。
【先行技術文献】
【特許文献】
【０００８】
【特許文献１】特開２０１３−２３８５７号公報
【発明の概要】
【発明が解決しようとする課題】
【０００９】
ところで前述した如く構成された電流計測装置１においては、確かに前記定電圧ダイオード２４を備えることにより前記ダイオード・ブリッジ回路２１ａ、並びに安定化電源（電源レギュレータＩＣ）２２を保護することができる。しかし前記電気二重層コンデンサ２３の満充電状態が長期間に亘って続いて前記電源回路２０に供給される電力が減少するような場合、しかも前記変流器ＣＴの電流容量が大きい場合、該変流器ＣＴの出力端子間に生じる電圧が次第に大きくなることが否めない。この為、前記定電圧ダイオード２４として許容電流容量の大きい大型のものが必要となる上、その放熱対策も必要になる。するとこれに伴って前記電流計測装置１が大型化し、またその製造コストも上昇すると言う問題が生じる。
【００１０】
本発明はこのような事情を考慮してなされたもので、その目的は、前記定電圧ダイオードの電流容量を増大させることなく前記電源回路における前記ダイオード・ブリッジ回路や前記安定化電源（電源レギュレータＩＣ）を過電圧から保護して安定に動作させることのできる電源回路装置、電流計測装置、電力監視システム、並びに電源回路装置の保護方法を提供することにある。
【課題を解決するための手段】
【００１１】
上述した目的を達成するべく本発明に係る電源回路装置は、
電源ラインに装着された変流器に生起された電力を整流・平滑化した電力の電圧にて蓄電素子を充電し、該蓄電素子の充電電圧を内部電源電圧として出力する電源回路と、
前記蓄電素子が満充電状態で、且つ前記整流・平滑化した電力の電圧が所定値を超えるとき、前記変流器に生起された電力の前記電源回路への給電を停止させる過電圧検出回路とを具備したことを特徴としている。
【００１２】
好ましくは前記電源回路は、例えば電源ラインに装着された変流器に生起された電力を整流・平滑化して出力する整流回路と、この整流回路の出力電圧を入力して所定の電圧を生成して出力する安定化電源と、この安定化電源が出力する電圧により充電され、その充電電圧を所定の電子機器に給電して該電子機器を駆動する蓄電素子と、前記安定化電源に入力される電圧の最大値を規定する定電圧ダイオード（定電圧素子）とを具備して構成される。
【００１３】
ちなみに前記蓄電素子は、例えば電気二重層コンデンサからなる。また前記過電圧検出回路は、過電圧検出信号を出力することで、例えば前記変流器と前記電源回路との間に介装された入力切替回路を駆動して前記変流器に生起された電力を前記電源回路以外の回路部に出力させ、これによって前記電源回路への給電を停止させるように構成される。
【００１４】
また本発明に係る電流計測装置は、
計測対象とする電源ラインに装着された変流器を介して検出される電流値から前記電源ラインに流れる電流を計測する電流計測部と、
前記変流器に生起された電力を整流・平滑化した電力の電圧にて蓄電素子を充電し、該蓄電素子の充電電圧により前記電流計測部を駆動する電源回路と、
前記変流器から得られる電力を前記電流計測部または前記電源回に選択的に出力する入力切替回路と、
前記蓄電素子が満充電状態で、且つ前記整流・平滑化した電力の電圧が所定値を超えるとき、前記入力切替回路の出力を前記電流計測部側に切り替える過電圧検出回路と
を具備したことを特徴としている。
【００１５】
ちなみに前記過電圧検出回路は、前記整流・平滑化した電力の電圧が前記蓄電素子の満充電電圧の値を超えるときに過電圧検出信号を出力するように構成される。そして前記入力切替回路は、前記過電圧検出信号を受けて前記変流器から得られる電力を前記電流計測部側に出力するように構成される。
【００１６】
更に前記電流計測部は、前記変流器の出力端子に前記入力切替回路を介して接続される電流検出素子、例えば電流計測用抵抗を用いて前記変流器に流れる電流を電圧変換することで、該電圧から前記変流器に流れる電流を検出するように構成される。好ましくは前記入力切替回路は、前記過電圧検出信号の入力時に導通駆動されて前記変流器の出力端子を前記電流計測部における電流検出素子に接続する接続素子を備え、該接続素子を介して前記変流器の出力端子に接続された前記電流検出素子による該変流器の出力端子電圧の低下を利用して前記電源回路への電力供給を停止するように構成される。
【００１７】
尚、前記電流計測装置は、更に前記過電圧検出回路が出力する前記過電圧検出信号を入力して前記蓄電素子が満充電状態であり、過電圧状態である旨を提示する表示回路を備えることが好ましい。ちなみに前記変流器が開放保護用の定電圧ダイオードを備えているような場合、前記過電圧検出回路において上記開放保護用の定電圧ダイオードよりも高い電圧を検出するように設定しておけば、上記表示回路を用いて前記開放保護用の定電圧ダイオードの故障を報知することも可能となる。
【００１８】
また本発明に係る電力監視システムは、計測対象とする複数の設備の各電源ラインにそれぞれ流れる電流をそれぞれ計測する上述した構成の複数台の電流計測装置と、
これらの各電流計測装置による計測値を周期的に収集するデータ収集装置と、
このデータ収集装置にて収集された前記各電流計測装置による計測値を分析し、その分析結果を表示する等して前記複数の設備における電力使用状況を監視する監視装置とを具備したことを特徴としている。
【００１９】
好ましくは前記電流計測装置は、前記計測対象とする設備の電源ラインに流れる電流の計測値を前記データ収集装置に周期的に送信する送信機を備え、また前記データ収集装置は、前記複数台の電流計測装置からそれぞれ送信された計測値を前記各電流計測装置に対応付けて記憶して前記監視装置による分析に供するように構成される。この際、前記各電流計測装置は、前記電流計測部による計測値と共に、前記過電圧検出回路により検出された前記過電圧検出信号を前記データ収集装置に送信することが好ましい。
【００２０】
また本発明に係る電源回路装置の保護方法は、電源ラインに装着された変流器に生起された電力を整流・平滑化して出力する整流回路と、この整流回路の出力電圧を入力して所定電圧を生成して出力する安定化電源と、この安定化電源が出力する所定電圧により充電され、その充電電圧を所定の電子機器に給電して該電子機器を駆動する蓄電素子と、前記安定化電源に入力される電圧の最大値を規定する定電圧素子とを具備した電源回路装置の保護方法において、
前記蓄電素子が満充電状態であり、且つ前記整流回路の出力電圧が前記定電圧素子により規定される電圧値よりも高い値に達しているとき、前記変流器に生起された電力を前記電源回路以外の回路部に出力して該整流回路への電力供給を停止させることを特徴としている。
【発明の効果】
【００２１】
上記構成の電源回路装置、電流計測装置、並びに電源回路装置の保護方法によれば、例えば電気二重層コンデンサからなる蓄電素子が満充電状態であり、且つ変流器から得られる交流電力を整流する整流回路の出力電圧が過電圧である時、該変流器から得られる電力の前記電源回路への出力を停止させるので、該電源回路を上記過電圧から効果的に保護することができる。しかも前記電源回路に設けられる定電圧素子の電流容量を増やすことなく、また前記定電圧素子に対して格別な放熱対策を講じなくても前記過電圧の発生自体を抑えることができる。従って電源回路装置、および電流計測装置をコンパクトに、且つ安価に実現することが可能となる。
【００２２】
また上記構成の電力監視システムによれば、計測対象とする複数の設備の各電源ラインに流れる電流の計測値を簡易にして効果的に収集し、その計測値を分析することで前記複数の設備における使用電力量を効率的に監視し、その状況を把握することが可能となる。しかも前記各電流計測装置がそれぞれ自己給電により動作するので、電源系を含むシステム全体の構成の簡素化を図ることができる。従ってその実用的利点が多大である。
【図面の簡単な説明】
【００２３】
【図１】本発明の一実施形態に係る電流計測装置の要部概略構成図。
【図２】図１に示す電流計測装置における電源回路と過電圧検出回路の構成例を示す図。
【図３】図２に示す電源回路と過電圧検出回路の動作を示す波形図。
【図４】本発明の別の実施形態に係る電流計測装置の要部概略構成図。
【図５】図４に示す電流計測装置における入力切替回路とその周辺回路の構成例を示す図。
【図６】図１または図４に示す電流計測装置を用いて構築される電力監視システムの概略構成を示す図。
【図７】図６に示す電力監視システムにおけるデータ収集タイミングを示す図。
【図８】従来の電流計測装置の一例を示す要部概略構成図。
【図９】図８に示す電流計測装置における電源回路の構成例を示す図。
【発明を実施するための形態】
【００２４】
以下、図面を参照して本発明の一実施形態について説明する。
【００２５】
図１は本発明の一実施形態に係る電流計測装置１の要部概略構成図であり、図８に示した従来の電流計測装置１と同一部分には同一符号を付して示してある。本発明に係る電流計測装置１が特徴とするところは、前記電源回路２０において前記安定化電源（電源レギュレータＩＣ）２２に加えられる直流電圧を監視し、蓄電素子である前記電気二重層コンデンサ２３が満充電状態であり、且つ前記整流回路２１から出力される直流電圧が所定値を超えるとき、過電圧検出信号を出力する過電圧検出回路２５を備える点にある。そしてこの過電圧検出回路２５が出力する前記過電圧検出信号を前記入力切替回路２に与えて該入力切替回路２の出力を前記電流計測部１０側に切り替え、これによって前記変流器ＣＴに生起された電力の前記電源回路２０への給電を停止させるようにしたことを特徴としている。
【００２６】
尚、前記過電圧検出信号は、前記マイクロプロセッサユニット（マイコン；ＭＰＵ）１３にも与えられる。また前記過電圧検出信号は、例えばワイヤード・オア回路２６を介して前記ＭＰＵ１３から出力される入力切替信号と論理和処理されて前記入力切替回路２に与えられる。従って前記入力切替回路２は、前記入力切替信号が与えられたとき、および前記過電圧検出信号が与えられたとき、前記変流器ＣＴに生起された電力を前記電源回路２０に代えて前記電流計測部１０における前記電流・電圧変換器１１に出力する。
【００２７】
図２は前記過電圧検出回路２５を備えて構築される前記電源回路２０の構成例を示している。この電源回路２０は、基本的には図２に示すように前記変流器ＣＴに生起された電力を整流・平滑化して出力するダイオード・ブリッジ回路２１ａと平滑コンデンサ２１ｂとからなる整流回路２１を備える。更に前記電源回路２０は、前記整流回路２１の出力電圧を入力して一定電圧を生成して出力する電源レギュレータＩＣからなる安定化電源２２を備える。そしてこの安定化電源２２が出力する一定電圧により電気二重層コンデンサ２３を充電し、該電気二重層コンデンサ２３の充電電圧を前記電流計測部１０に給電して該電流計測部１０を駆動するように構成される。
【００２８】
更に前記電源回路２０は、前記安定化電源２２の入力部に設けられて前記安定化電源２２に加えられる前記直流電圧の最大値を規定し、これによって前記変流器ＣＴの出力端子間に生じる過電圧から前記ダイオード・ブリッジ回路２１ａおよび前記安定化電源２２を保護する定電圧ダイオード２４を備える。そして前記過電圧検出回路２５は、前記定電圧ダイオード２４のアノードに直列接続された過電圧検出用抵抗２５ａと、前記定電圧ダイオード２４を介して流れる電流により前記過電圧検出用抵抗２５ａに生じる電圧を検出してオン・オフ動作するトランジスタ２５ｂとを備えて構成される。
【００２９】
ちなみに前記トランジスタ２５ｂは、エミッタを接地すると共に、コレクタを前記安定化電源２２の電圧出力線に負荷抵抗（プルアップ抵抗）２５ｃを介して接続し、ベースに前記過電圧検出用抵抗２５ａに生じる電圧を入力して反転動作するエミッタ接地型の電圧検出回路を構成する。尚、図２において、２５ｄは前記トランジスタ２５ｂのベースと前記過電圧検出用抵抗２５ａとの間に介装されたベース電流制限用抵抗であり、２５ｅは前記トランジスタ２５ｂのベース・エミッタ間に並列接続されたベース電圧保証用抵抗である。また前記トランジスタ２５ｂのコレクタ・エミッタ間に並列接続されたコンデンサ２５ｆは、該トランジスタ２５ｂの出力電圧（コレクタ電圧）の変化に所定の時定数を付与する役割を担う。
【００３０】
ここで図３を参照して上述した如く構成された前記電源回路２０の基本的な動作を説明すると、該電源回路２０には前記変流器ＣＴに生起された電力が図３(ａ)に示すように入力される。この交流電力は、周知のように前記電源ラインＬ（変流器ＣＴの１次側）に流れる交流電流Ｉ１に比例して前記変流器ＣＴの２次側、即ち、該変流器ＣＴの出力端子間に生起される交流電流Ｉ２によって与えられる電力である。
【００３１】
すると前記電源回路２０の起動時には、前記変流器ＣＴの出力端子間に生起された交流電力を前記ダイオード・ブリッジ回路２１ａを介して整流し、前記平滑コンデンサ２１ｂにて平滑化した前記整流回路２１の出力電圧は、図３(ｂ)に示すように次第に上昇する。この結果、前記整流回路２１の出力電圧を受けて前記安定化電源（電源レギュレータＩＣ）２２が動作し、該安定化電源２２の安定化された出力電圧を受けて前記電気二重層コンデンサ２３が充電される。そして前記電源回路２０の起動から所定時間経過後（タイミングｔ１）において、上記充電により前記電気二重層コンデンサ２３が満充電状態に達する。
【００３２】
その後、前記電気二重層コンデンサ２３が満充電状態に達した状態において前記変流器ＣＴからの電力供給が続くと、満充電状態にある前記電気二重層コンデンサ２３への前記安定化電源２２からの出力電流が低下するので、これに伴って該安定化電源２２の入力電圧、即ち、前記整流回路２１の出力電圧が上昇する。そして該整流回路２１の出力電圧が前記定電圧ダイオード２４の降伏電圧（例えば６Ｖ）を超えると、該定電圧ダイオード２４を介して電流が流れ出す。この結果、前記定電圧ダイオード２４に直列接続された前記過電圧検出用抵抗２５ａに流れる電流によって該過電圧検出用抵抗２５ａに図３(ｄ)に示すような電圧が生起される。ちなみに前記過電圧検出用抵抗２５ａとしては、例えば１００Ω程度のものが用いられる。
【００３３】
即ち、前記電気二重層コンデンサ２３が満充電であり、且つ前記変流器ＣＴからの電力供給を受けて前記整流回路２１の出力電圧が上昇して過電圧になると、これに伴って前記定電圧ダイオード２４を介して電流が流れ出す。そしてこの定電圧ダイオード２４を介して流れる電流によって前記過電圧検出用抵抗２５ａの両端間に電圧が発生する。また前記整流回路２１の出力電圧の更なる上昇に伴って前記定電圧ダイオード２４を介して電流が更に増大し、これによって前記過電圧検出用抵抗２５ａの両端間に生起される電圧が図３(ｄ)に示すように上昇する。
【００３４】
すると前記過電圧検出用抵抗２５ａの両端間に生起された電圧を受け、図３においてタイミングｔ３として示すように前記トランジスタ２５ｂがオン動作し、該トランジスタ２５ｂのコレクタ電圧が接地電位まで急激に低下する。その後、前記トランジスタ２５ｂのコレクタ・エミッタ間に並列接続された前記コンデンサ２５ｆが前記負荷抵抗２５ｃを介して充電されるので、前記トランジスタ２５ｂのコレクタ電圧は次第に上昇する。このトランジスタ２５ｂのコレクタ電圧の上昇速度は、前記コンデンサ２５ｆの容量と前記負荷抵抗２５ｃの抵抗値とにより規定される時定数により規定される。
【００３５】
このように動作する前記トランジスタ２５ｂのコレクタ電圧が、過電圧検出信号として出力される。そしてこの過電圧検出信号が前記入力切替回路２に与えられ、図３(ｄ)に示すように該入力切替回路２の出力を前記電流計測部１０側に切り替えることで、前記変流器ＣＴから入力される電力の前記電源回路２０への供給が停止される。この電源回路２０への電力供給の停止は、前記トランジスタ２５ｂのコレクタ電圧が元の電圧レベル、即ち、前記電気二重層コンデンサ２３の出力電圧に達し、前記過電圧検出信号が消滅するまでの期間に亘って行われる。
【００３６】
そして図３においてタイミングｔ４に示すように前記過電圧検出信号が消滅すると、該過電圧検出信号による前記入力切替回路２に対する強制的な切替制御が終了し、これに伴って前記入力切替回路２は前記変流器ＣＴから入力される電力を再び前記電源回路２０に供給する。そして前記過電圧検出回路２５は、前記変流器ＣＴからの前記電源回路２０への電力供給に伴って上述した過電圧が検出される都度、前記過電圧検出信号を出力して前記入力切替回路２を介する当該電源回路２０への電力供給を禁止する。
【００３７】
尚、前記電源回路２０への電力供給を禁止している期間においては、前記変流器ＣＴに生起された電力は前記入力切替回路２を介して前記電流計測部１０における電流・電圧変換器（計測用抵抗）１１に出力される。そして前記変流器ＣＴから与えられる電力は、前記電流・電圧変換器（計測用抵抗）１１において前記電源ラインＬに流れる電流に相当した電圧に変換される。但し、このようにして前記電流・電圧変換器１１において求められる電圧を検出するか否かは、前記電流計測部１０に委ねられる。ちなみに前記電流計測部１０においては、上述した過電圧検出信号とは独立して、前述した周期の下で前記入力切替回路２を切替制御して前記電流・電圧変換器１１に生起される電圧から電流計測を実行する。従って前記過電圧検出信号に基づく前記入力切替回路２の切り替え制御は、前記電源回路２０の保護を目的として実行される。
【００３８】
ちなみに前記定電圧ダイオード２４の導通により前記過電圧検出用抵抗２５ａの両端間に生起される電圧が上昇して前記トランジスタ２５ｂのオン動作閾値電圧に達するまでの応答時間は、例えば１ｍｓ程度に設定される。また前記トランジスタ２５ｂがオン動作した後、前記負荷抵抗２５ｃを介する前記コンデンサ２５ｆの充電により該トランジスタ２５ｂのコレクタ電圧が内部電源電圧まで復帰するまでの時間（時定数）は、例えば１０ｍｓ程度に設定される。従ってこの場合には、前記安定化電源２２による前記電気二重層コンデンサ２３の充電は、１０ｍｓの休止期間を経て１ｍｓずつ繰り返される。
【００３９】
しかしこのような前記電気二重層コンデンサ２３の間欠的な充電によっても前記電流計測部１０の機能が損なわれることがないように、前記電流計測部１０においては、例えば３秒毎にウェイクアップして０.５秒間動作し、その他の期間は休止することでその電力消費が抑えられている。また前記送信機１４を介する計測データ等の送信処理についても、例えば１分間に１回だけ実行することで、その消費電力が抑えられている。この結果、前記電流計測部１０の上述した間欠的な動作によっても、前記電気二重層コンデンサ２３に蓄電された電圧は、前記電流計測装置１の動作期間に亘って略一定に保持されるようになっている。
【００４０】
かくして上述した如く構成された電源回路２０によれば、前記電気二重層コンデンサ２３が満充電状態であり、且つこの満充電状態において前記整流回路２１の出力電圧が前記定電圧ダイオード２４の降伏電圧を超える都度、前記過電圧検出回路２５においてその過電圧状態を検出する。そして前記過電圧検出回路２５が出力する過電圧検出信号を用いて前記入力切替回路２を制御し、これによって該入力切替回路２が前記変流器ＣＴの電力を前記電源回路２０から前記電流計測部１０側へと変更するものとなっている。
【００４１】
従って前記電気二重層コンデンサ２３が満充電状態であることに起因する電圧の上昇によって前記定電圧ダイオード２４を介して流れる電流が過度に増大することが効果的に抑制される。この結果、前記定電圧ダイオード２４に要求される電流容量を低減することができ、また該定電圧ダイオード２４での電力消費を抑えることが可能となる。故に前記定電圧ダイオード２４として大電流容量のものを用いる必要がなくなり、また該定電圧ダイオード２４に対する格別な放熱対策も不要となる。
【００４２】
しかも前記電気二重層コンデンサ２３の満充電に起因する電流の低下に伴って前記変流器ＣＴの出力端子に生じる過電圧の発生を、該変流器ＣＴから出力される電流を前記電流計測部１０における前記電流・電圧変換器（計測用抵抗）１１に流すことにより簡易にして効果的に防止することができる。特に前記過電圧検出回路２５において前記整流回路２１の出力電圧を監視し、該過電圧検出回路２５が出力する前記過電圧検出信号により前記入力切替回路２を制御するだけで、簡易に上述した制御を実行することが可能となる。従って上述した過電圧検出回路２５を備えるだけで、前記定電圧ダイオード２４に要求される電流容量を低減し、その小型化を図ることができる。故に前記電源回路２０での不本意な電力消費を抑えることが可能となり、該電源回路２０自体の小型化・低消費電力化、ひいては電流計測装置１の小型を図ることが可能となる。
【００４３】
尚、ここでは電流計測装置１に組み込まれる電源回路２０について説明したが、前記変流器ＣＴから得られる電力から各種の電子回路に対する内部電源電圧を生成して供給する電源回路装置においても、上述した技術を同様に適用することができる。この場合には、例えば前記過電圧検出回路２５において過電圧が検出されたとき、前記入力切替回路２を介して前記変流器ＣＴから得られる電力を該電源回路２０以外の、例えばダミー抵抗等に出力するようにすれば良い。
【００４４】
ところで前述した実施形態においては、前記過電圧検出回路２５が出力する過電圧検出信号と電流計測動作に同期して前記ＭＰＵ１３が出力する入力切替信号とを前記ワイヤード・オア回路２６を介して前記入力切替回路２に与えるように構成した。しかし、例えば図４に示すように前記過電圧検出信号と前記入力切替信号と各別に前記入力切替回路２に与えるように構成しても良い。またこのように構成した場合、例えば前記過電圧検出信号が出力されたとき、これを表示する表示回路２７を設けることも有用である。
【００４５】
図５は前記表示回路２７および前記入力切替回路２とその周辺回路の構成例を示している。この図５に示すように前記表示回路２７は、電流制限抵抗２７ａを直列に接続した発光ダイオード（ＬＥＤ）２７ｂにより構成される。そして前記過電圧検出信号を受けてオン動作するトランジスタ（ＦＥＴ）２７ｃを介して前記電気二重層コンデンサ２３から出力される内部電源電圧Ｖccを受けて発光（点灯）駆動されるように設けられる。即ち、前記表示回路２７は、前記過電圧検出信号が出力されている期間に亘って前記発光ダイオード（ＬＥＤ）２７ｂを点灯駆動する。
【００４６】
一方、前記入力切替回路２は、前記過電圧検出信号または前記入力切替信号を受けて導通動作する２つのフォトＭＯＳリレー３１,３２を備える。前記電流・電圧変換器（計測用抵抗）１１は、これらのフォトＭＯＳリレー３１,３２間に接続され、該フォトＭＯＳリレー３１,３２を介して前記変流器ＣＴの出力端子間に接続される。ちなみに前記各フォトＭＯＳリレー３１,３２は、一対の端子間にスイッチ素子をなす直列接続されたＭＯＳ-ＦＥＴ３３,３４、ＭＯＳ-ＦＥＴ３５,３６をそれぞれ介装したものである。前記ＭＯＳ-ＦＥＴ３３,３４、および前記ＭＯＳ-ＦＥＴ３５,３６は、前記フォトＭＯＳリレー３１,３２の各制御端子に加えられる前記過電圧検出信号または前記入力切替信号を受けて発光駆動される発光ダイオード３７,３８からの光を受けてそれぞれオン動作する。
【００４７】
前記電流・電圧変換器（計測用抵抗）１１は、前記入力切替回路２を構成する前記フォトＭＯＳリレー３１,３２のオン動作によって前記変流器ＣＴに接続される。そして前記入力切替回路２を介して前記変流器ＣＴに生起された電力を前記電流・電圧変換器１１に出力することで該変流器ＣＴの出力端子間の電圧が抑えられ、これに伴って前記ダイオード・ブリッジ回路２１ａを介する前記電源回路２０への電力供給が停止される。
【００４８】
ちなみに前記電流・電圧変換器１１を構成する計測用抵抗（電流検出素子）は、例えば５Ω程度の抵抗値を有するものからなり、前記変流器ＣＴからの出力電流が１００ｍＡのときに０.５Ｖの電圧を生起する。これに対して前記電気二重層コンデンサ２３が満充電状態にあるときの前記平滑コンデンサ２１ｂの充電電圧は略５Ｖである。従って前記変流器ＣＴから得られる電流を前記電流・電圧変換器１１に出力したとき、該変流器ＣＴの出力端子電圧は前記電流・電圧変換器１１に生起される電圧となるので前記ダイオード・ブリッジ回路２１ａが逆バイアスされる。この結果、前記変流器ＣＴから得られる電力の前記電源回路２０への給電が阻止されることになる。
【００４９】
そして前述したように前記過電圧検出信号の消失に伴って前記変流器ＣＴから得られる電流の前記電流・電圧変換器１１への出力が停止されると、これによって前記変流器ＣＴの出力端子電圧が上昇する。すると前記ダイオード・ブリッジ回路２１ａを介して前記電源回路２０への電力供給が再開される。以降、このような前記入力切替回路２の切り替え動作が前記安定化電源２２に加わる電圧の変化に応じて繰り返されることになる。
【００５０】
またこのようにして前記入力切替回路２の動作を制御する前記過電圧検出信号は、前記安定化電源２２に加わる電圧が前記定電圧ダイオード２４の降伏電圧を超える都度、一定期間（例えば１ｍｓ）に亘って出力される。この結果、前記表示回路２７を構成する前記発光ダイオード２７ｂは、例えば１０ｍｓ毎に１ｍｓずつ点灯駆動される。すると前記発光ダイオード２７ｂの点滅状態、視覚的には前記発光ダイオード２７ｂの点灯状態から前記電気二重層コンデンサ２３が満充電状態であり、これに伴って前記安定化電源２２に加わる電圧が前記定電圧ダイオード２４の降伏電圧を超えることのある高電圧状態であることが提示される。概略的には前記電気二重層コンデンサ２３が満充電状態であることが提示される。
【００５１】
尚、前記変流器ＣＴが図５に示すように開放保護用の定電圧ダイオードＺＤを備えているような場合、前記定電圧ダイオード２４の降伏電圧を前記開放保護用の定電圧ダイオードＺＤの動作電圧よりも若干高く設定しておくことが望ましい。このような動作条件を設定しておけば、前記変流器ＣＴに開放保護用の定電圧ダイオードＺＤが設けられているにも拘わらず、前記定電圧ダイオード２４に電流が流れて前記過電圧検出信号が出力されていることを把握することができる。換言すれば前記開放保護用の定電圧ダイオードＺＤが故障しており、この結果、前記過電圧検出信号が出力されていることを前記発光ダイオード２７ｂの点灯から知ることが可能となる。
【００５２】
図６は上述した如く構成された電流計測装置１を複数台用いて構築される電力監視システム１００の概略構成を示している。この電力監視システム１００は、例えば工場における製品加工ラインに沿って順に設けられる複数の加工設備５１,５２,５３および検査設備５４の各電力消費量を監視するものである。前記複数台の電流計測装置１（１ａ，１ｂ〜１ｎ）は、上記各加工設備５１,５２,５３および検査設備５４の電源供給ラインにそれぞれ前記変流器ＣＴを装着し、これらの各変流器ＣＴを介して前記加工設備５１,５２,５３および前記検査設備５４にそれぞれ給電される電力の電流量を計測するように設けられる。
【００５３】
前記各電流計測装置１（１ａ，１ｂ〜１ｎ）は、それぞれ所定の周期毎に計測した電流値（計測値）を、前記送信機１４から前記アンテナ１５を介してその上位の受信機６１に向けて定期的に無線送信する。この無線送信は、例えば９２０ＭＨz・１０ｍＷの特定小電力無線通信を利用して、例えば１分間に１回の割合で、且つ前記複数の電流計測装置１（１ａ，１ｂ〜１ｎ）間において送信タイミングを互いに異ならせて周期的に行われる。
【００５４】
そして上位側システムにおいては、前記受信機６１を介して前記各電流計測装置１（１ａ，１ｂ〜１ｎ）からそれぞれ送られてきた情報を、データ収集装置（データ収集用のパーソナルコンピュータ；ＰＣ）６２にて収集し、これを前記各電流計測装置１（１ａ，１ｂ〜１ｎ）に対応付けて収集時刻情報と共に記憶する。この際、前記電流計測装置１（１ａ，１ｂ〜１ｎ）から前述した過電圧検出信号等の動作状態を示すフラグ情報が送られてくる場合には、監視装置（監視用のパーソナルコンピュータ；ＰＣ）６３では、前記データ収集装置６２に収集された情報を統計処理する等して分析し、その分析結果を、例えば前記加工設備５１,５２,５３および前記検査設備５４におけるエネルギー使用量６４、エネルギーコスト６５、エネルギー原単価６６等の管理データとしてグラフ化して表示する。
【００５５】
このように構築される前記電力監視システム１００によれば、前記各加工設備５１,５２,５３および検査設備５４の電源供給ラインにそれぞれ前記変流器ＣＴを装着するだけで良いので監視対象とする設備に対する工事負担が殆ど掛からない。また前述したように前記各電流計測装置１（１ａ，１ｂ〜１ｎ）は、それぞれ自己給電により動作して電流計測を実行するので、これらの電流計測装置１（１ａ，１ｂ〜１ｎ）に対する給電ラインの敷設が不要である。しかも前記各電流計測装置１（１ａ，１ｂ〜１ｎ）は、前述したように前記過電圧検出回路２５を備えて前記変流器ＣＴに生じる過電圧から簡易に、且つ効果的にその電源回路２０を保護するので、該電流計測装置１（１ａ，１ｂ〜１ｎ）の構成の小型化、簡素化を図り得る。従って前記各電流計測装置１（１ａ，１ｂ〜１ｎ）の設置が容易であり、その設置スペースの確保や、放熱対策に煩わされることがない。
【００５６】
その上で、前記各電流計測装置１（１ａ，１ｂ〜１ｎ）と前記受信機６１との間で無線通信により定期的にデータ送信するだけで前記データ収集装置６２において前記各電流計測装置１（１ａ，１ｂ〜１ｎ）における計測データを効率的に収集することができる。そして収集した計測データを前記監視装置６３において分析し、その分析結果を提示することができるので、前記製品加工ラインを構築する前記複数の加工設備５１,５２,５３および前記検査設備５４の各電力消費量を、簡易に、且つ効率的に把握することができる。故にシステムコストを最小限に抑えることができ、その実用的利点が多大である。
【００５７】
図７は上述した電力監視システム１００における動作タイミングを示しており、前記各電流計測装置１（１ａ，１ｂ〜１ｎ）は、図７(ａ)に示すように所定の周期Ｔ１（例えば１分）毎に前記受信機６１に対して計測データを送信する。計測データを得る前記各電流計測装置１における前記ＭＰＵ１３は、図７(ｂ)に示すように所定の周期Ｔ２（例えば３秒）毎にウェイクアップして動作し、その他の期間は動作休止することで、その消費電力を極力抑えるものとなっている。
【００５８】
そして前記ＭＰＵ１３は、図７(ｃ)に示すように所定の周期Ｔ３（例えば０.５秒）だけ動作し、前記周期Ｔ１中の特定の動作タイミングにおいて図７(ｄ)に示すように所定の周期Ｔ４（例えば０.１秒）毎に電流計測を２０回に亘って繰り返し実行する。そして前記ＭＰＵ１３は、例えば２０回に亘って繰り返し計測した電流の平均値を求め、その平均電流値を図７(ｅ)に示すように前記受信機６１に向けて送信するように構成される。このように前記各電流計測装置１（１ａ，１ｂ〜１ｎ）は、前述した電源回路２０における前記過電圧検出回路２５による保護動作とは独立に動作して計測対象の電流を計測し、その計測データ（平均電流値）を求める。
【００５９】
そして前記データ収集装置６２は、これらの電流計測装置１（１ａ，１ｂ〜１ｎ）により計測された電流値を前記電流計測装置１（１ａ，１ｂ〜１ｎ）毎に記憶する。この際、前記データ収集装置６２は、前記各電流計測装置１（１ａ，１ｂ〜１ｎ）の動作状態を示す前記過電圧検出信号の発生状況を示すフラグ情報等も記憶する。その上で前記データ収集装置６２にて収集した計測データを前記監視装置６３にて集計・分析することで、前述したように前記製品加工ラインにおける電力使用状況を監視するものとなっている。
【００６０】
尚、本発明は上述した実施形態に限定されるものではない。例えば前記電源回路２０において生成する内部電源電圧Ｖcc、即ち、前記電気二重層コンデンサ２３の充電電圧については前記電流計測部１０の仕様に応じて設定すれば良く、例えば５Ｖとして定められる。この場合、前記過電圧検出用の前記定電圧ダイオード２４の降伏電圧としては、例えば６Ｖ程度に設定しておけば十分である。また前述した如く過電圧検出信号を用いて前記入力切替回路２の動作を制御し、これによって過電圧時における前記電源回路２０への電力供給を停止させるので、前記定電圧ダイオード２４の電流容量としては１００ｍＡ程度のもので十分である。
【００６１】
その他、各部の回路定数等については前記変流器ＣＴの仕様や、電流計測装置１に要求される仕様に応じて適宜定めればよいものである。更には前記電気二重層コンデンサ２３に代えてリチウムイオン電池等の二次電池を用いることも可能である。要は本発明は、その主旨を逸脱しない範囲で種々変形して実施することができる。
【符号の説明】
【００６２】
ＣＴ  変流器（カレントトランス）
ＺＤ  開放保護用の定電圧ダイオード
Ｌ  電源ライン
１（１ａ，１ｂ〜１ｎ）  電流計測装置
２  入力切替回路
１０  電流計測部
１１  電流・電圧変換器（計測用抵抗）
１２  増幅器
１３  マイクロプロセッサユニット（マイコン；ＭＰＵ）
１４  送信機
１５  アンテナ
２０  電源回路
２１  整流回路
２１ａ  ダイオード・ブリッジ回路
２１ｂ  平滑コンデンサ
２２  安定化電源（電源レギュレータＩＣ）
２３  電気二重層コンデンサ（蓄電素子）
２４  定電圧ダイオード（定電圧素子）
２５  過電圧検出回路
２５ａ  過電圧検出用抵抗
２５ｂ  トランジスタ
２５ｃ  負荷抵抗（プルアップ抵抗）
２５ｄ  ベース電流制限用抵抗
２５ｅ  ベース電圧保証用抵抗
２５ｆ  コンデンサ
２７  表示回路
２７ａ  電流制限抵抗
２７ｂ  発光ダイオード
２７ｃ  トランジスタ（ＦＥＴ）
３１,３２  フォトＭＯＳリレー
３３,３４,３５,３６  ＭＯＳ-ＦＥＴ
３７,３８  発光ダイオード
６１  受信機
６２  データ収集装置（データ収集用のパーソナルコンピュータ；ＰＣ）
６３  監視装置（監視用のパーソナルコンピュータ；ＰＣ）
【図１】
2015040799.tif 000003
【図２】
2015040799.tif 000004
【図３】
2015040799.tif 000005
【図４】
2015040799.tif 000006
【図５】
2015040799.tif 000007
【図６】
2015040799.tif 000008
【図７】
2015040799.tif 000009
【図８】
2015040799.tif 000010
【図９】
2015040799.tif 000011